(57)【要約】  本発明は、軸受を介してポンプ筐体内に支承されている、ローターを備えた血液ポンプに関する。本発明により、筐体はその外側の壁から筐体内側を指し示す金属製ピンを備えている。このピンは、熱を伝えることができ、安定化作用を持っている。【選択図】なし
2013525044.tif 000002
【特許請求の範囲】
【請求項１】
軸受（１４）を介してポンプ筐体（２）に支承されているローター（１３）を備えた血液ポンプ（１）であって、前記ポンプ筐体（２）がその外壁（５）から筐体内側（８）を指し示す、金属製ピン（１０）を有することを特徴とする、血液ポンプ。
【請求項２】
前記ピン（１０）が円錐形に形成されることを特徴とする、請求項１に記載の血液ポンプ。
【請求項３】
前記ピン（１０）が円錐形の筐体フォーム（９）内に配置されていることを特徴とする、請求項１〜２のうちのいずれか一項に記載の血液ポンプ。
【請求項４】
前記円錐形の筐体フォーム（９）が、ブレード（１５）内で、および好ましくは前記ブレード（１５）の全長に渡って伸びていることを特徴とする、請求項３に記載の血液ポンプ。
【請求項５】
前記ローターの直径が３０ｍｍ未満、好ましくは２８ｍｍ未満であることを特徴とする、請求項１〜４のうちのいずれか一項に記載の血液ポンプ。
【請求項６】
ローターカバーディスク（１９）の直径が、３２ｍｍ未満、好ましくは３０ｍｍ未満であることを特徴とする、請求項１〜５のうちのいずれか一項に記載の血液ポンプ。
【請求項７】
前記ローターの重量が、１０ｇ未満、好ましくはそれどころか８．５ｇ未満であることを特徴とする、請求項１〜６のうちのいずれか一項に記載の血液ポンプ。
【請求項８】
前記筐体が半径方向外側の筐体壁（５）と、その中へ伸びているモーターマウント（６）を有していることを特徴とする、請求項１〜７のうちのいずれか一項に記載の血液ポンプ。
【請求項９】
半径方向外側の筐体壁（５）と前記モーターマウント（６）の間にリング状スリット（８）が形成されることを特徴とする、請求項８に記載の血液ポンプ。
【請求項１０】
モーターのトルクを非接触式に前記ローター（１３）に伝達するために、前記ローター（１３）が少なくとも１つのカップリング磁石（１６）有していることを特徴とする、請求項１〜９のうちのいずれか一項に記載の血液ポンプ。
【請求項１１】
前記ローター（１３）が、軸受（１４）に通じる洗浄穴（１７）を有していることを特徴とする、請求項１〜１０のうちのいずれか一項に記載の血液ポンプ。
【請求項１２】
前記ローター（１３）が軸受（１４）を介してベアリングシェル内にあるボールセグメントと前記ポンプ筐体（２）で支承されていることを特徴とする、請求項１〜１１のうちのいずれか一項に記載の血液ポンプ。
【請求項１３】
前記ローターが前記ボールセグメント有していることを特徴とする、請求項１２に記載の血液ポンプ。
【請求項１４】
前記軸受の一部がＰＴＦＥから作られていることを特徴とする、請求項１〜１３のうちのいずれか一項に記載の血液ポンプ。
【請求項１５】
前記軸受の一部がステンレス鋼から作られていることを特徴とする、請求項１〜１４のうちのいずれか一項に記載の血液ポンプ。
【請求項１６】
前記軸受の一部がセラミックまたはガラス、好ましくはホウケイ酸ガラスから作られていることを特徴とする、請求項１〜１５のうちのいずれか一項に記載の血液ポンプ。
【請求項１７】
前記筐体の少なくとも１つの部分がポリエーテルケトンから作られていることを特徴とする、請求項１〜１６のうちのいずれか一項に記載の血液ポンプ。
【請求項１８】
前記血液ポンプの呼び水容量が１７ｍＬ未満、好ましくは１５ｍＬ未満であることを特徴とする、請求項１〜１７のうちのいずれか一項に記載の血液ポンプ。
【発明の詳細な説明】
【技術分野】
【０００１】
本発明は、軸受を介してポンプ筐体内に支承されている、ローターを備えた血液ポンプに関する。
【背景技術】
【０００２】
このような血液ポンプは、さまざまな実施形態が公知である。まず、ラジアルポンプとアキシャルポンプに分けられる。特に良い結果は斜流によって得られた。本発明は従って、特に斜流ポンプの分野に関する。
【０００３】
このような血液ポンプの重要な使用分野は、体外循環におけるヒトの血液の圧送である。その場合血液ポンプは完全にまたは部分的に心臓のポンプ機能を担い、および数日間という一定期間心臓を支援するために、再生またはバイパスのために、使用される。病院に普及している、ＰＶＣチューブシステム、人工肺、動脈フィルターのようなコンポーネントおよび必要に応じてさまざまな容器と組み合わせて使用される。ＰＶＣチューブシステムの代わりにシリコンチューブピースから完全なシリコンチューブシステムまで、使用することもできる。
【０００４】
制御、エネルギー供給および監視のために、駆動装置も担うことができる専用のコンソールが使用される。
【０００５】
このようなポンプは、血液部分と駆動部分を連結解除するために、マグネットクラッチの原理が適用されていると有利である。このことは、血液が案内される表面を非常に小さく保つことを可能にする。コンパクトな構造により、患者に優しく、患者の近傍で使用できる。
【０００６】
このような血液ポンプでは、ローターが好ましくはセラミックまたは酸化アルミニウム製の玉軸受けで支承されている。軸受の範囲では、温度上昇またはポンプの故障を招きかねない力が作用する。
【発明の概要】
【発明が解決しようとする課題】
【０００７】
本発明の課題は、このような血液ポンプにさらに開発を加えることである。
【課題を解決するための手段】
【０００８】
この課題は、筐体がその外側の壁から筐体内側を指し示す金属製ピンを有する、この種類の血液ポンプによって解決される。
【０００９】
頑丈な、熱伝導性のある材料から成るこのようなピンは、一方で筐体壁を通して熱を排出し、および他方で筐体から内側へ突出している筐体部分を安定化させる。この血液ポンプはその場合回転軸もダイナミックシールも不要である。
【００１０】
ピンが円錐形に形成されると特に有利である。これにより、筐体内の特別な点から熱が吸収され、筐体外側に排出される。さらに、ピンの円錐形の形状が特別な機械的安定性を可能にする。
【００１１】
ピンが筐体内に導かれた血液と触れることを阻止するため、ピンが円錐形の筐体フォーム内に配置されていることが提示される。したがってこのピンは、血液自体と接触することなく、筐体内部からおよび特に軸受エリアから熱を排出することができる。ここでは、軸受エリアから熱を排出し、軸受エリアを安定化させるために、ピンが軸受の近傍まで導かれていると特に有利である。
【００１２】
軸受を可能な限り血液入口の近くに位置決めするため、円錐形の筐体フォームがブレード内で、および好ましくはブレード全長に渡って伸びていることが提示される。それによってローターのブレードが半径方向で円錐形のピンの外側に、および半径方向で円錐形の筐体フォームの外側に配置されていることが達成される。これにより、不動の円錐形筐体フォームとローターの間に生じた熱も、金属ピンを通って排出される。
【００１３】
ローターは連続的にまたは断続的に回転してよい。特にローターの迅速な加速のために、ローターの直径は３０ｍｍ未満、好ましくは２８ｍｍ未満である。直径が小さいと、慣性力が低減され、それによって加速が容易になる。それにより、ローターは脈動的な投入にも理想的に使用される。脈動運転では、１００ステップで回転数１００ｒｐｍ〜２５００ｒｐｍが提示される。振動数はしたがって４０〜９０ｒｐｍである。
【００１４】
ローターの重量が可能な限り小さく保たれると、特に直径が小さいことと合わせると有利である。それによって質量慣性力が低減され、加速が容易になる。有利な一実施態様では、ローターの重量が１０ｇ未満、好ましくはそれどころか８．５ｇ未満である。
【００１５】
これに対応して、ローターカバーディスクの直径は３２ｍｍ未満、好ましくは３０ｍｍ未満であってよい。
【００１６】
ローターおよびカバーディスクの特別な構造は、本発明のその他の特徴とは無関係に発明の本質を成す。
【００１７】
その他の、本発明のその他の特徴とはやはり無関係に発明の本質を成すのは、筐体の構造である。簡単な方法でドライブユニットを「血液部分」から分離するため、筐体が半径方向外側の筐体壁およびその中へ伸びているモーターマウントを有することが提示される。モーターはこれによって簡単に筐体から分離可能であり、筐体は同時にモーターホルダーとして使用される。
【００１８】
特にコンパクトな構造は、半径方向外側の筐体壁とモーターマウントの間にリング状スリットが形成されることによって達成される。このリング状スリット内には、ローターから血液入り口へ流れる血液を導くことができる。血液部分と駆動部分の連結解除により、ドライブユニットを繰り返し使用することができ、かつ血液が案内される表面を非常に小さく保つことが可能である。この場合ポンプ材料は、血液凝固を抑制するコーティング、例えばＲｅｏｐａｒｉｎ（登録商標）またはＢｉｏｌｉｎｅ（登録商標）でコーティングを施せるものが選択される。
【００１９】
トルクがモーターから非接触式にローターへ伝達されるために、ローターが少なくとも１つのカップリングマグネットを有していると有利である。そのために、ローター内に配置されているセグメント磁石またはリング磁石が使用されてよい。リング磁石の使用も、前述の特徴とは無関係に発明の本質を成す。ここでカップリング磁石は好ましい一実施例で磁性バックロックを持っている。ローターの前面がモーターの方を向いている限りにおいて、バックロックはローターの背面に配置されている。バックロックはセグメント磁石を接続し、ローターと駆動磁石の間に磁場強度が生じ得るように機能し、この磁場強度によって２０Ｎを超える力が伝達され得る。
【００２０】
さらに、ローターが軸受に通じる洗浄穴を有していると有利である。
【００２１】
軸受には高い摩擦力が生じ、その結果大量に発熱が生じる。この熱は前述したように熱をよく電導するピンに伝えられ、このピンは好ましくは鋼から作られている。別法としてまたは追加的に、ローターが軸受を介してベアリングシェル内にあるボールセグメントと、ポンプ筐体内で支承されることが提示される。その際ボールセグメントは、軸受内に確実に存在するために、最大でベアリングシェルの半径であるべきである。好ましくはボールセグメントの半径は、ベアリングシェルの半径より小さく、その結果点支承が生じる。その際、ボールセグメントはボールの一部であってよい。軸受の構造も、前述の特徴とは無関係に発明の本質を成す。
【００２２】
ボールセグメントは、その際ピンに沿っておよびローターに沿って形成されてよい。ローターがボールセグメントを有していると有利であることは明かである。
【００２３】
摩耗の発生が可能な限り少なくなるよう、および優れた熱放散が保証されるよう、軸受の一部がＰＴＦＥ、鋼、セラミックまたはガラス、好ましくはホウケイ酸ガラスから作られていることが提示される。この部分は好ましくはボールセグメントまたはボールであるのに対し、ピンは好ましくは鋼から作られている。材料の選択も、前述の特徴とは無関係に発明の本質を成す。
【００２４】
筐体内で、特に軸受の範囲で温度が２００℃を超える可能性があるため、少なくとも１つの筐体部分がポリエーテルケトンから作られていることが提示される。これは例えばポリエーテルエーテルケトン（ＰＥＥＫ）のような高音耐熱性熱可塑性プラスチックである。この特徴も、前述の特徴とは無関係に発明の本質を成す。
【００２５】
特別な設計上の構造により、呼び水容量が１７ｍＬ、好ましくは１５ｍＬ未満である、このような血液ポンプを作ることが可能である。
【００２６】
本発明による血液ポンプの実施例は図に示され、以下に詳しく説明される。
【図面の簡単な説明】
【００２７】
【図１】血液ポンプの側面図である。
【図２】図１に示された血液ポンプの平面図である。
【図３】図１に示された血液ポンプの、Ｃ−Ｃ線に沿った断面図である。
【図４】血液ポンプの別法の実施形態の側面図である。
【図５】図４に示された血液ポンプの平面図である。
【図６】図４に示された血液ポンプの、Ｆ−Ｆ線に沿った断面図である。
【発明を実施するための形態】
【００２８】
図１に示された血液ポンプ１は、インレット３およびアウトレット４を具備したポンプ筐体２を備えている。
【００２９】
ポンプ筐体２は、半径方向外側の筐体壁５およびその中へ伸びているモーターマウント６から成る。モーターマウント６は、形状接合でキャップ７を介して外側の筐体壁５と接続している。
【００３０】
モーターマウント６は、筐体壁５とモーターマウント６の間にリング状スリット８が生じるように筐体壁５内に突き出ている。インレット３に対して同軸にモーターマウント６のところに円錐形の筐体フォーム９が形成され、この中に円錐形のピン１０が伸びている。ピン１０は、段差部１１を介して円錐形の筐体フォーム９と接続されている。
【００３１】
円錐形の筐体フォーム９の先端には、玉軸受け１２があり、ローター１３と接着されている。この玉軸受け１２は、円錐形の筐体フォーム９の帽子構造の中で、その中に配置されているピン１０と共に動く。それによってローター１３は軸受１４を使用してポンプ筐体２内に支承されている。
【００３２】
ローター１３はブレード１５を備え、モーター（図示せず）のトルクが非接触式でローター１３に伝達されるよう、このブレードのところにカップリングマグネット１６が固定されている。ローター１３内のカップリングマグネット１６は、個々のクオーターセグメント磁石として仕上げられてよい。有利にはリング磁石である。
【００３３】
ローター１３は、直径約２６ｍｍで、軸受１４付近に洗浄穴１７を備え、これを通って血液が入り口３から軸受１４へ流れる。
【００３４】
ローター１３と筐体内側１８の間にローターカバーディスク１９が配置されており、これは直径が約２８ｍｍである。
【００３５】
血液ポンプは、少なくとも７日間の一定期間の間使用できる。使用時間は、最大６時間から最大数週間までに達する。実際には、５０日を超えてポンプが連続的に使用されても容易に耐えることが示されている。ダイアゴナル形状のインペラー、ひいてはダイアゴナル形状の流れ方向は、遠心ポンプとアキシャルポンプの利点を統合している。ポンプは０〜１０，０００ｒｐｍの回転域で連続的にまたは脈動して、体積流量毎分０〜８リッターを最大圧力差が最高６５０ｍｍＨｇで生成する。最大圧送圧力は一般におよそ６００ｍｍＨｇ未満である。
【００３６】
無菌のおよび発熱性物質なしで納品されたポンプヘッドは、少なくとも３年間保管可能であり、輸送による損傷から十分に保護されている。
【００３７】
図４から図６は、わずかに変更された血液ポンプ３０の実施形態である。図１から図３に示された実施形態では呼び水容量が１６ｍＬであるのに対して、この変更された実施形態では呼び水容量が１５ｍＬ未満である。このことは、ポンプ内に突出している、モーターマウント３２の部分３１によって達成される。
【符号の説明】
【００３８】
１  血液ポンプ
２  ポンプ筐体
３  インレット
４  アウトレット
５  筐体壁
６  モーターマウント
７  キャップ
８  リング状スリット
９  筐体フォーム
１０  ピン
１１  段差部
１２  玉軸受け
１３  ローター
１４  軸受
１５  ブレード
１６  カップリングマグネット
１７  洗浄穴
１８  筐体内側
１９  ローターカバーディスク
３０  血液ポンプ
３２  モーターマウント
【図１】
2013525044.tif 000003
【図２】
2013525044.tif 000004
【図３】
2013525044.tif 000005
【図４】
2013525044.tif 000006
【図５】
2013525044.tif 000007
【図６】
2013525044.tif 000008
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
軸受（１４）を介してポンプ筐体（２）に支承されているローター（１３）を具備した血液ポンプ（１）であって、その際前記ポンプ筐体（２）がその外壁（５）から筐体内側（８）を指し示す金属製のピン（１０）を有する血液ポンプにおいて、前記ピン（１０）が円錐形に形成され、円錐形の筐体フォーム（９）内に配置され、前記ポンプ筐体（２）の前記外壁（５）の外側のところに配置されていることを特徴とする、血液ポンプ。
【請求項２】
前記円錐形の筐体フォーム（９）が、ブレード（１５）内で、および好ましくは前記ブレード（１５）の全長に渡って伸びていることを特徴とする、請求項１に記載の血液ポンプ。
【請求項３】
前記ローターの直径が３０ｍｍ未満、好ましくは２８ｍｍ未満であることを特徴とする、請求項１〜２のうちのいずれか一項に記載の血液ポンプ。
【請求項４】
ローターカバーディスク（１９）の直径が、３２ｍｍ未満、好ましくは３０ｍｍ未満であることを特徴とする、請求項１〜３のうちのいずれか一項に記載の血液ポンプ。
【請求項５】
前記ローターの重量が、１０ｇ未満、好ましくはそれどころか８．５ｇ未満であることを特徴とする、請求項１〜４のうちのいずれか一項に記載の血液ポンプ。
【請求項６】
前記筐体が半径方向外側の筐体壁（５）と、その中へ伸びているモーターマウント（６）を有し、その際前記モーターマウント（６）が形状接合でキャップ（７）を介して外側の筐体壁（５）と接続されており、半径方向外側の筐体壁（５）と前記モーターマウント（６）との間にリング状スリット（８）が形成されていることを特徴とする、請求項１〜５のうちのいずれか一項に記載の血液ポンプ。
【請求項７】
モーターのトルクを非接触式に前記ローター（１３）に伝達するために、前記ローター（１３）が少なくとも１つのカップリング磁石（１６）有していることを特徴とする、請求項１〜６のうちのいずれか一項に記載の血液ポンプ。
【請求項８】
前記ローター（１３）が、軸受（１４）に通じる洗浄穴（１７）を有していることを特徴とする、請求項１〜７のうちのいずれか一項に記載の血液ポンプ。
【請求項９】
前記ローター（１３）が軸受（１４）を介してベアリングシェル内にあるボールセグメントと前記ポンプ筐体（２）で支承されていることを特徴とする、請求項１〜８のうちのいずれか一項に記載の血液ポンプ。
【請求項１０】
前記ローターが前記ボールセグメント有していることを特徴とする、請求項９に記載の血液ポンプ。
【請求項１１】
前記軸受の一部がＰＴＦＥから作られていることを特徴とする、請求項１〜１０のうちのいずれか一項に記載の血液ポンプ。
【請求項１２】
前記軸受の一部がステンレス鋼から作られていることを特徴とする、請求項１〜１１のうちのいずれか一項に記載の血液ポンプ。
【請求項１３】
前記軸受の一部がセラミックまたはガラス、好ましくはホウケイ酸ガラスから作られていることを特徴とする、請求項１〜１２のうちのいずれか一項に記載の血液ポンプ。
【請求項１４】
前記筐体の少なくとも１つの部分がポリエーテルケトンから作られていることを特徴とする、請求項１〜１３のうちのいずれか一項に記載の血液ポンプ。
【請求項１５】
前記血液ポンプの呼び水容量が１７ｍＬ未満、好ましくは１５ｍＬ未満であることを特徴とする、請求項１〜１４のうちのいずれか一項に記載の血液ポンプ。
【国際調査報告】
2013525044.tif 000009
2013525044.tif 000010
2013525044.tif 000011
2013525044.tif 000012
2013525044.tif 000013
2013525044.tif 000014